(57)【特許請求の範囲】
【請求項１】
虫を誘引する誘引手段と、帯状をなす基材シートの一方の面に接着剤層が積層された捕虫シートを前記誘引手段の近傍に繰り出し可能に支持する支持手段と、前記捕虫シートを巻き取る巻取手段とを含む本体部を備えた捕虫器において、
前記巻取手段は、捕虫シートが巻回される巻取軸と、この巻取軸に連結されるとともに、操作棒に係合可能な係合部と、巻取軸の回転を規制可能な規制手段とを備え、当該規制手段は、予め設定した時間を経過するまで巻取軸の巻き取りを規制することを特徴とする捕虫器。
【請求項２】
前記本体部を昇降可能に支持する昇降手段を有することを特徴とする請求項１記載の捕虫器。
【請求項３】
前記昇降手段は、操作棒を係合部に係合させることで、本体部を昇降可能に設けられていることを特徴とする請求項２記載の捕虫器。
【請求項４】
請求項１ないし３の何れかに記載の捕虫器の操作方法であって、
前記巻取軸の係合部に操作棒を係合させた後、操作棒を回転操作して巻取軸を回転し、当該巻取軸に捕虫シートを巻き取り可能とし、前記巻取軸は、規制手段によって予め設定した時間を経過するまでは回転が規制され、設定時間が経過した後に巻取軸の回転を許容することを特徴とする捕虫器の操作方法。
【発明の詳細な説明】
【技術分野】
【０００１】
本発明は、捕虫器及びこれの操作方法に係り、更に詳しくは、捕虫シートの巻き取りを簡単に行うことができる捕虫器及びこれの操作方法に関する。
【背景技術】
【０００２】
従来より、例えば、食品や粘着シート、精密機械等の製品に虫が混入することを防止するために捕虫器が利用され、かかる捕虫器としては、例えば、特許文献１及び２に開示されている。特許文献１の捕虫器は、ハウジング内に設けられて虫を誘引する光源及び粘着シートを備え、ワイヤにより吊持されている。ワイヤは、ワイヤ巻取装置によって巻き取り及び繰り出しされる。捕虫を行う場合、ワイヤ巻取装置によってワイヤを巻き取り、捕虫器を高所に配置する。一方、粘着シートの交換を行う場合、ワイヤ巻取装置によってワイヤを繰り出して捕虫器を下降させ、作業者が高所に登ることなく作業を行えるようになっている。
【０００３】
特許文献２の捕虫器は、捕虫用の光源と、虫を接着して捕獲可能な捕虫シートと、ロール状に巻回された捕虫シートを光源の近傍に繰り出し可能に支持する支持手段と、捕虫シートを巻取軸に巻き取る巻取手段とを備えている。巻取手段は、巻取軸を回転させるハンドルを備え、このハンドルを回転操作することで、虫を捕獲した捕虫シートを巻取軸に巻き取り、捕虫シートの未使用面を光源の近傍に繰り出し可能となっている。
【先行技術文献】
【特許文献】
【０００４】
【特許文献１】実用新案登録第３１５１４８０号公報
【特許文献２】特開２００７−７４９０８号公報
【発明の概要】
【発明が解決しようとする課題】
【０００５】
しかしながら、特許文献２の捕虫器は、巻取軸を回転させるハンドルを備えているために、機器からの出っ張りが大きくなり、狭い場所に配置するときにこの出っ張りが邪魔になって配置できない場合がある。また、特許文献１のワイヤ及びワイヤ巻取装置を介して特許文献２の捕虫器を吊持すると、捕虫シートを巻き取る場合、ハンドルを操作すべくワイヤ巻取装置によって捕虫器を下降させる必要がある。更には、捕虫シートを巻き取った後、捕虫器を元の高所に配置すべく、ワイヤ巻取装置により捕虫器を上昇させる必要もある。つまり、捕虫シートの巻き取りの度に、捕虫器を昇降させる時間と労力が不可欠となり、作業効率を低下させるという不都合を招来する。
【０００６】
［発明の目的］
本発明の目的は、捕虫シートの巻き取りの作業効率を向上させることができる捕虫器及びその操作方法を提供することにある。
【課題を解決するための手段】
【０００７】
前記目的を達成するため、本発明は、虫を誘引する誘引手段と、帯状をなす基材シートの一方の面に接着剤層が積層された捕虫シートを前記誘引手段の近傍に繰り出し可能に支持する支持手段と、前記捕虫シートを巻き取る巻取手段とを含む本体部を備えた捕虫器において、
前記巻取手段は、捕虫シートが巻回される巻取軸と、この巻取軸に連結されるとともに、操作棒に係合可能な係合部と、巻取軸の回転を規制可能な規制手段とを備え、当該規制手段は、予め設定した時間を経過するまで巻取軸の巻き取りを規制する、という構成を採っている。
【０００８】
本発明において、前記本体部を昇降可能に支持する昇降手段を有する、という構成を採ることが好ましい。
【０００９】
また、前記昇降手段は、操作棒を係合部に係合させることで、本体部を昇降可能に設けられる、という構成も好ましくは採用される。
【００１１】
また、本発明の捕虫器の操作方法は、請求項１ないし３の何れかに記載の捕虫器の操作方法であって、
前記巻取軸の係合部に操作棒を係合させた後、操作棒を回転操作して巻取軸を回転し、当該巻取軸に捕虫シートを巻き取り可能とし、前記巻取軸は、規制手段によって予め設定した時間を経過するまでは回転が規制され、設定時間が経過した後に巻取軸の回転を許容する、という方法を採っている。
【発明の効果】
【００１２】
本発明によれば、巻取軸が操作棒に係合可能な係合部を備えているため、必要に応じてこの係合部に操作棒を連結して捕虫器を所定操作できる。これにより、従来のようにハンドル等の大きな出っ張りが邪魔になり、狭い場所に配置することができなくなるといった制限を解消できる上、見かけ上もすっきりして見える。
更に、昇降手段を介して本体部を高所に配置しても、係合部に操作棒を係合させ、本体部を下降させることなく高所に配置したまま、捕虫シートを巻き取ることができる。これにより、捕虫シートを巻き取る度に、従来のように捕虫器を昇降させる必要がなくなり、作業時間の短縮化、労力の軽減を図ることが可能となる。
【００１３】
また、操作棒に係合部を係合させることで本体部を昇降可能としたので、単一の操作棒により、捕虫シートを巻き取る操作と、本体部を昇降させる操作との両方の操作を行うことが可能となる。
【図面の簡単な説明】
【００１４】
【図１】実施形態に係る捕虫器の概略正面図。
【図２】図１の左側面図。
【図３】本体部の内部構造の説明図。
【図４】（Ａ）は、捕虫シートの正面図。（Ｂ）は、（Ａ）のＡ矢視断面図。
【図５】巻取手段及びその周辺の断面図。
【発明を実施するための形態】
【００１５】
以下、本発明の実施の形態について図面を参照しながら説明する。
なお、本明細書において、特に明示しない限り、「上」、「下」は、図１を基準として用いる。
【００１６】
図１〜図５において、捕虫器１０は、図１中横長に設けられた本体部１１と、この本体部１１を昇降可能に支持する昇降手段１２とを備えて構成されている。
【００１７】
前記本体部１１は、箱状に形成されたフレーム体１４と、このフレーム体１４の内部に設けられて虫を誘引する誘引手段１５と、この誘引手段１５の近傍に繰り出される帯状の捕虫シート１６と、この捕虫シート１６を誘引手段１５の近傍に繰り出し可能に支持する支持手段１８と、捕虫シート１６を巻き取る（捕虫シート１６を巻き取るとともに、捕虫シート１６の未使用面を誘引手段１５の近傍に繰り出す）巻取手段１９と、フレーム体１４に設けられた巻取時期通知手段２０とを備えて構成されている。
【００１８】
前記フレーム体１４は、開口１４Ａを有する一対の側面部１４Ｂと、各側面部１４Ｂの上端側に連設される頂面部１４Ｃと、各側面部１４Ｂの下端側に連設される底面部１４Ｄとを備えている。頂面部１４Ｃの内面には、誘引手段１５側に膨出するＶ字状の反射板２３が設けられている。反射板２３は、本実施形態では、ステンレス板等によって形成され、誘引手段１５側が鏡面仕上げとされる。
【００１９】
前記誘引手段１５は、底面部１４Ｄに支持された蛍光灯により構成されている。なお、蛍光灯は、虫を誘引可能な波長の光、例えば紫外線を発光するものが好ましい。
【００２０】
前記捕虫シート１６は、図４（Ａ）及び（Ｂ）に示されるように、帯状をなす基材シート１６Ａと、この基材シート１６Ａの一方の面（図４（Ｂ）中上面）に積層された接着剤層１６Ｂとからなる２層構造になっており、この接着剤層１６Ｂ側に剥離シート１６Ｃが仮着されている。基材シート１６Ａの短手方向両端、すなわち、図４中左右両端に沿う位置には、接着剤層１６Ｂを積層しない非接着領域１６Ｄがそれぞれ設けられている。
【００２１】
前記支持手段１８は、剥離シート１６Ｃが仮着されロール状に巻回された捕虫シート１６を支持する支持軸２７と、この支持軸２７の下方に設けられて捕虫シート１６及び剥離シート１６Ｃが載置される受けディスク２８と、支持軸２７の近傍に設けられた剥離手段３２とを備え、支持軸２７が図３中矢印Ｒ３方向に回転することで捕虫シート１６を繰り出すことが可能になっている。なお、支持軸２７は、図示しない回転規制手段によって図３中矢印Ｒ３方向の反対方向への回転が規制されている。
【００２２】
前記剥離手段３２は、支持軸２７から繰り出された捕虫シート１６を図３中右方向に導くガイドローラ３３と、剥離シート１６Ｃを同図中左方向へ導く剥離用ローラ３４とを備えている。剥離用ローラ３４により剥離された剥離シート１６Ｃは、ガイドローラ３５を経由して巻取手段１９へ案内される。また、剥離シート１６Ｃが剥離された捕虫シート１６は、開口１４Ａからフレーム体１４の外方に接着剤層１６Ｂを表出しつつ誘引手段１５の図３中下方へ案内される。
【００２３】
前記巻取手段１９は、捕虫シート１６及び剥離シート１６Ｃの両方が巻回される単一の巻取軸３７と、この巻取軸３７の下方に設けられて捕虫シート１６及び剥離シート１６Ｃが載置される受けディスク３８と、巻取軸３７の下端に連結されるとともに、操作棒４５に係合可能なリング部５２を有する係合部４３と、受けディスク３８の近傍に設けられた規制手段４７が設けられている。巻取軸３７は、図３中矢印Ｒ２方向に回転させて捕虫シート１６及び剥離シート１６Ｃの両方を巻き取る。規制手段４７は、受けディスク３８に接触可能なブレーキパッド４８と、このブレーキパッド４８を受けディスク３８に当接及び離間させる直動モータ４９とを備えている。規制手段４７は、受けディスク３８にブレーキパッド４８を接触させることで、巻取軸３７の回転を規制可能に設けられる一方、受けディスク３８からブレーキパッド４８を離すことで、巻取軸３７の回転を許容するようになっている。
【００２４】
前記操作棒４５は、係合部４３のリング部５２内に挿入されることで係合可能なフック部４４と、このフック部４４から延びるロッド部５４と、作業者が把持して回転が容易に行えるようにクランク状に形成された把持部５５と、この把持部５５とロッド部５４との間に設けられ、ねじ構造を介して操作棒４５の全体長さを調整可能なアジャスタ部５６とを備えている。把持部５５は、操作棒４５に対して回転可能に設けられたグリップ部５５Ａ、５５Ｂを備えている。
【００２５】
前記巻取時期通知手段２０は、図２中右側の側面部１４Ｂの外側において点灯可能な点灯部５８と、この点灯部５８の点灯、消灯を制御する図示しない制御手段とを備えている。制御手段は、内部タイマを備え、巻取手段１９による捕虫シート１６の巻き取りから予め設定した時間を経過するまでは、点灯部５８を消灯し、直動モータ４９を駆動させてブレーキパッド４８を受けディスク３８に当接させて巻取軸３７の回転を規制している。そして、予め設定した時間を経過すると、点灯部５８が点灯或いは点滅し、直動モータ４９を駆動させてブレーキパッド４８を受けディスク３８から離間させて巻取軸３７の回転を許容する。これにより、予め設定した時間の経過前は、規制手段４７によって巻取軸３７の回転が規制され、作業者が頻繁に捕虫シート１６を巻き取って捕虫シート１６が無駄に消費されることを抑制できるようになっている。点灯部５８が点灯或いは点滅すると、当該点灯部５８の三角形部分等が目立つようになり、作業者の注意を喚起させることができる。
【００２６】
前記昇降手段１２は、壁面Ｗに取り付けられる一対のブラケット６０と、これらブラケット６０に対して回転可能に支持されたシャフト６１と、巻きばね等によって構成されシャフト６１に常時回転力を付与する付勢手段６２と、シャフト６１に連結された一対のリール６４と、各リール６４にそれぞれ巻回されるとともに、本体部１１を吊持可能なワイヤ６５とを備えている。
【００２７】
前記捕虫器１０を使用するときは、先ず、捕虫シート１６を支持軸２７から所定長さ引き出し、ガイドローラ３３の位置で剥離シート１６Ｃを剥離して誘引手段１５の図３中下側近傍を通過し、同図中下側の開口１４Ａからフレーム体１４の外方に接着剤層１６Ｂが露出するように繰り出す。その後、捕虫シート１６を一対のローラ２５を介して同図中上方に案内した後、誘引手段１５の同図中上側を通過し、同図中上側の開口１４Ａからフレーム体１４の外方に接着剤層１６Ｂが露出するように導き、リード端を巻取軸３７に固定する。
そして、捕虫器１０に電源が供給されると、誘引手段１５が発光し、その光が捕虫シート１６を透過して外部に発せられる。また、電源供給と同時に、図示しない制御手段が直動モータ４９を駆動させて巻取軸３７の回転を規制するとともに、その内部タイマによって時間のカウントを開始する。誘引手段１５が発光した光に誘引されて飛来した虫は、捕虫シート１６の接着剤層１６Ｂに接着して捕獲される。
【００２８】
その後、図示しない制御手段の内部タイマによって予め設定した時間が経過したことが確認されると、点灯部５８が点灯或いは点滅して捕虫シート１６の巻き取り時期になったことを案内表示するよう制御されるとともに、直動モータ４９を駆動させて巻取軸３７の回転を許容する。これにより、接着剤層１６Ａに捕獲された虫の量や接着剤層１６Ａの劣化状態等を作業者が目視にて確認を行う。そして、確認した作業者は、操作棒４５のフック部４４を係合部４３に係合させる。この係合状態で、グリップ部５５Ａ、５５Ｂを両手で持って図３中矢印Ｒ２方向に回転操作する。これにより、支持軸２７に支持された捕虫シート１６が図３中矢印Ｒ３方向に回転して繰り出され、捕虫シート１６がガイドローラ３３によって図３中右方向へ、剥離シート１６Ｃが剥離用ローラ３４によって同図中左方向へ繰り出され、未使用の接着剤層１６Ｂが誘引手段１５を囲むように繰り出される。また、これと同時に、剥離シート１６Ｃと使用済みの捕虫シート１６とが巻取軸３７に巻き取られる。その後上記同様の動作が繰り返し行われることとなる。
【００２９】
ここで、巻取軸３７に巻き取られた捕虫シート１６の回収や新しい捕虫シート１６をセットすべく、本体部１１を下降させる場合も、前述と同様に操作棒４５のフック部４４を係合部４３に係合させる。そして、付勢手段６２の付勢力に抗して操作棒４５を引き下げることで、リール６４からワイヤ６５が繰り出されて本体部１１が下降することとなる。そして、新しい捕虫シート１６のセットが完了すると、付勢手段６２の力でリール６４にワイヤ６５が巻き取られることで、本体部１１は、元の位置に復帰される。
【００３０】
従って、このような実施形態によれば、必要に応じて操作棒４５を係合部４３に係合させて捕虫器１０を所定操作できるので、従来のようにハンドルが出っ張って配置する位置に制限を受けることはなくなる。更に、本体部１１を高所に配置しても、操作棒４５を用いて巻取軸３７の回転を遠隔操作することができる。これにより、捕虫シート１６の巻き取りを行う度に、本体部１１を昇降させる必要がなくなり、作業負担の軽減、作業の迅速化を図ることが可能となる。
【００３１】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３２】
例えば、誘引手段１５は、虫を誘引する作用を奏する限りにおいて種々の変更が可能であり、匂いや音等で誘引可能なものであってもよく、蛍光灯に代替、若しくは、蛍光灯と併用することができる。また、前記蛍光灯に替え、環状の蛍光灯や電球、ＬＥＤ（発光ダイオード）等の他の発光源によって誘引手段１５を構成してもよい。
【００３３】
また、係合部４３やフック部４４は、図示構成例に限られるものでなく、相互に係合して操作棒４５の操作により捕虫器１０を所定操作できる限りにおいて、種々の設計変更が可能である。
【００３４】
更に、巻取軸３７を２本設け、使用済みの捕虫シート１６と、剥離シート１６Ｃとを別々の巻取軸３７で巻き取りしてもよい。
【符号の説明】
【００３５】
１０  捕虫器
１１  本体部
１２  昇降手段
１５  誘引手段
１６  捕虫シート
１６Ａ  基材シート
１６Ｂ  接着剤層
１８  支持手段
１９  巻取手段
３７  巻取軸
４３  係合部
４５  操作棒
４７  規制手段
【図１】
0005547511.tif 000002
【図２】
0005547511.tif 000003
【図３】
0005547511.tif 000004
【図４】
0005547511.tif 000005
【図５】
0005547511.tif 000006